(57)【要約】【課題】  静電気の発生時に表示装置に表示の乱れが生じるのを抑えることができるとともに、駆動期間において検出感度が低下することを防ぐことができるタッチパネルとすること。【解決手段】  タッチパネルは、基板１と、基板１上の所定の方向に配置された駆動線２Ｘと、駆動線２Ｘと電気的に絶縁された状態で、基板１上に所定の方向と交差する方向に配置された検出線２Ｙと、駆動線２Ｘ及び検出線２Ｙと電気的に絶縁された状態で、駆動線２Ｘ及び検出線２Ｙを平面視したときのそれらの隙間に配置されているダミー電極３と、駆動線２Ｘを駆動する駆動期間においてダミー電極３をフローティング状態とし、駆動線２Ｘを駆動しない非駆動期間においてダミー電極３を所定電位に保持するダミー電極３の駆動制御部１８ｃと、を有している。【選択図】  図１
2018185625.tif 000002
【特許請求の範囲】
【請求項１】
基板と、
前記基板上の所定の方向に配置された駆動線と、
前記駆動線と電気的に絶縁された状態で、前記基板上に前記所定の方向と交差する方向に配置された検出線と、
前記駆動線及び前記検出線と電気的に絶縁された状態で、前記駆動線及び前記検出線を平面視したときのそれらの隙間に配置されているダミー電極と、
前記駆動線を駆動する駆動期間において前記ダミー電極をフローティング状態とし、前記駆動線を駆動しない非駆動期間において前記ダミー電極を所定電位に保持する駆動制御部と、を有しているタッチパネル。
【請求項２】
前記駆動線は、前記駆動期間において駆動パルスが入力され、
前記所定電位は、前記駆動パルスの電位よりも低い請求項１に記載のタッチパネル。
【請求項３】
前記所定電位は、接地電位である請求項１または請求項２に記載のタッチパネル。
【発明の詳細な説明】
【技術分野】
【０００１】
本発明は、駆動信号（ドライブパルス）が入力される駆動線（ドライブ線ともいう）と、検出信号（センサパルス）を出力する検出線（センサ線ともいう）と、を有する静電容量検出型のタッチパネルに関する。
【背景技術】
【０００２】
従来のタッチパネルを備えた液晶表示装置（Liquid  Crystal  Display  ：ＬＣＤ）の例を図４（ａ），（ｂ）に示す。図４（ａ），（ｂ）は、従来のタッチパネル付ＬＣＤ（ＬＴ１，ＬＴ２）の各側断面図である。図４（ａ）のタッチパネル付ＬＣＤ（ＬＴ１）は、液晶表示パネルＬＣ１とタッチパネルＴＰ１とを個別に作製し、液晶表示パネルＬＣ１のカラーフィルタ側基板３６の液晶３５側の面と反対側の面（図４（ａ）では上面）に、高透明性接着剤転写テープ（Optically  Clear  Adhesive  Tape  ：ＯＣＡ）等を介してタッチパネルＴＰ１を載置し接合することによって構成される（例えば、特許文献１を参照）。
【０００３】
液晶表示パネルＬＣ１は、薄膜トランジスタ（Thin  Film  Transistor  ：ＴＦＴ）を含む画素部３４が多数形成されたガラス基板等から成るアレイ側基板３１と、カラーフィルタ及びブラックマトリクスが形成されたガラス基板等から成るカラーフィルタ側基板３６とを互いに対向させて、それらの基板を所定の間隔でもって貼り合わせ、それらの基板間に液晶３５を充填、封入させることによって作製される。また、一般的に、カラーフィルタ側基板３６は、ＴＦＴ３２及び画素電極３３から成る画素部３４に対向する側の面、すなわち液晶３５側の面の全面に、画素電極３３との間で液晶３５に印加する垂直電界を形成するための共通電極３９が形成されている。この共通電極３９は、ＩＰＳ（In-Plane  Switching）方式のＬＣＤの場合、アレイ側基板３１の画素部３４に画素電極３３と同じ面内に形成されることによって横電界を生じさせるものとなる。また共通電極３９は、ＦＦＳ（Fringe  Field  Switching）方式のＬＣＤの場合、アレイ側基板３１の画素部３４に画素電極３３の上方または下方に絶縁層を挟んで形成されることによって端部電界（フリンジ電界）を生じさせるものとなる。また、カラーフィルタ側基板３６の液晶３５側の面には、各画素部３４に対応する赤（Ｒ）、緑（Ｇ）、青（Ｂ）のカラーフィルタ３７が形成されており、各画素部３４を通過する光が相互に干渉することを防ぐブラックマトリクスがカラーフィルタ３７の外周を囲むように形成されている。なお、カラーフィルタ層３７を覆ってオーバーコート層３８が形成されており、オーバーコート層３８上に共通電極３９が形成されている。
【０００４】
また、アレイ側基板３１の液晶３５側の面の縁部全周と、カラーフィルタ側基板３６の液晶３５側の面の縁部全周とが、シリコーン樹脂、エポキシ樹脂、合成ゴム等から成る封止部材４０によって接着、封止されている。さらに、アレイ側基板３１の液晶３５側の面における封止部材４０から外部に突出した部位には、ＩＣ，ＬＳＩ等から成る、ゲート信号線駆動回路、画像信号線駆動回路としての駆動回路素子４１がＣＯＧ（Chip  On  Glass）方式等の実装方法により搭載されており、さらに駆動回路素子４１に外部から駆動信号、制御信号を入出力するフレキシブル印刷回路基板（Flexible  Printed  Circuits  ：ＦＰＣ）４４が、上記突出した部位の端部に設置されている。なお、４２はＬＣＤのゲート信号線、画像信号線と駆動回路素子４１を接続等するための引き回し配線、４３は駆動回路素子４１とＦＰＣ４４の回路配線とを電気的に接続するための端子電極である。
【０００５】
タッチパネルＴＰ１は、下側基板５１の一面にインジウム錫酸化物（Indium  Tin  Oxide  ：ＩＴＯ）等の透明電極から成る検出電極５２が形成されており、検出電極５２上に保護基板としての上側基板５３が設けられている。また、検出電極５２と外部の検出手段等との間で検出信号等の入出力を行うためのＦＰＣ５６が、下側基板５１の上面の端部に設置されている。なお、５４は検出電極５２と端子電極５５を接続するための引き回し配線、５５は引き回し配線５４とＦＰＣ５６の回路配線とを電気的に接続するための端子電極である。
【０００６】
図４（ａ）に示したタッチパネル付ＬＣＤ（ＬＴ１）は、液晶表示パネルＬＣ１とタッチパネルＴＰ１を積層して構成されるために、厚みが厚くなりやすい。そこで、薄型化するために、図４（ｂ）に示すように、タッチパネルの検出電極が液晶表示パネルＬＣ１のカラーフィルタ側基板３６の表面に直接的に形成されたタッチパネル付ＬＣＤ（ＬＴ２）が提案されている。カラーフィルタ側基板３６の液晶３５側の面と反対側の面（図４（ｂ）では上面）に、タッチパネルＴＰ２の検出電極６１が直接的に形成されている。検出電極６１上に保護基板としてのガラス基板等から成る基板６２が設けられている。
【０００７】
また図５は、図４（ｂ）に示した静電容量型のタッチパネルＴＰ２の検出電極等を示す平面図である。検出電極６１は、カラーフィルタ側基板３６上のＸ方向（例えば、行方向）に伸びるように形成されたＸ検出電極線（ドライブ線）６１Ｘと、Ｙ方向（例えば、列方向）に伸びるように形成されたＹ検出電極線（センサ線）６１Ｙと、Ｘ検出電極線６１ＸとＹ検出電極線６１Ｙが短絡することを防ぐとともにＹ検出電極線６１Ｙの電極部同士を接続するためのブリッジ電極６１ｂと、を有している。また、カラーフィルタ側基板３６上には、平面視でＸ検出電極線６１ＸとＹ検出電極線６１Ｙの間の隙間に、ＩＴＯ等の透明電極から成るダミー電極６３が配置されている（例えば、特許文献２を参照）。ダミー電極６３は、Ｘ検出電極線６１ＸとＹ検出電極線６１Ｙの間の平面視における隙間が３０μｍ程度以上に大きくなると、Ｘ検出電極線６１Ｘ及びＹ検出電極線６１Ｙが視認者に視認されやすくなるのを抑える目的で配置される。
【０００８】
カラーフィルタ側基板３６上の端部には、ＦＰＣ５６の回路配線に接続される端子電極５５群が配置されており、ＦＰＣ５６のタッチパネルＴＰ２と反対側の端部には、回路基板６７が接続されている。回路基板６７は、ＦＰＣ５６の回路配線を介して端子電極５５群と電気的に接続される端子電極６６群を有している。回路基板６７上には、ＩＣ，ＬＳＩ等から成る駆動制御部６８が設けられており、駆動制御部６８は、例えば、Ｘ検出電極線６１Ｘに駆動信号を走査しながら出力する走査制御部６８ａと、Ｙ検出電極線６１Ｙら出力された検出信号を受信し指等の被検出体を検出する検出部６８ｂと、を有している。
【０００９】
また、図６は、アクティブマトリクス型及びＩＰＳ型のＬＣＤの基本構成を示すブロック回路図である。例えば、ＬＣＤのアレイ側基板７１は、その上の第１の方向（例えば、行方向）に形成された複数本のゲート信号線７２（GL1，GL2，GL3〜GLm）と、第１の方向と交差する第２の方向（例えば、列方向）にゲート信号線７２と交差させて形成された複数本の画像信号線７３（SL1，SL2，SL3〜SLn）と、ゲート信号線７２と画像信号線７３の交差部に対応して配置された、ＴＦＴ７３、画素電極PE11，PE12，PE13〜PEmn及びその画素電極PE11，PE12，PE13〜PEmnとの間で液晶に印加する横電界を形成するための共通電極を含む画素部P11，P12，P13〜Pmnと、共通電極に共通電圧（Vcom）を供給する共通電圧線７４と、を有する構成である。また、７５はゲート信号線７２の入力端側に配置されたゲート信号線駆動回路、７６は画像信号線の入力端側に配置された画像信号（ソース信号）線駆動回路、８０は画素部P11，P12，P13〜Pmnを含む表示部である。
【先行技術文献】
【特許文献】
【００１０】
【特許文献１】特開２０１０−１２８６７６号公報
【特許文献２】特開２０１０−１１３４９８号公報
【特許文献３】特開２０１５−１９５０１０号公報
【発明の概要】
【発明が解決しようとする課題】
【００１１】
図５に示す上記従来のタッチパネルＴＰ２は、ダミー電極６３が電気的に浮遊状態（フローティング状態）とされているために、液晶表示パネルＬＣ１に静電気が発生していたり残留している場合、ダミー電極６３に電荷が生じて液晶表示パネルＬＣ１に表示ムラを発生させる原因となるという問題点があった。そこで、静電気の発生時に表示の乱れを低減することができるタッチセンサ機能を有する入力装置として、複数の第１の電極と、複数の第１の電極に対向して配置され、それぞれが第１の電極と容量結合し、タッチ操作に基づく検出信号を出力する複数の第２の電極と、隣接する１対の第２の電極の間の領域にそれぞれが配置された複数の第３の電極と、を備えており、複数の第３の電極を接地電位に設定した入力装置が提案されている（例えば、特許文献３を参照）。
【００１２】
しかしながら、特許文献３に開示された入力装置の場合、複数の第３の電極（ダミー電極６３に相当する）を常時接地電位に設定しているために、複数のＸ検出電極線６１Ｘに駆動信号が走査されながら入力されている駆動期間において、接地電位に設定されているダミー電極６３がＸ検出電極線６１Ｘ及びＹ検出電極線６１Ｙと容量結合する。そうすると、Ｘ検出電極線６１Ｘは、接地電位にあるダミー電極６３を介してＹ検出電極線６１Ｙと容量結合することとなる。すなわち、Ｘ検出電極線６１Ｘで生じた電気力線は、接地電位にあるダミー電極６３に一旦集束して結合し、ダミー電極６３を経由してＹ検出電極線６１Ｙに結合することとなる。その結果、Ｘ検出電極線６１Ｘで生じた電気力線が空間的に存在する範囲が狭められ、検出感度が低下しやすいという問題点があった。因みに、駆動期間においてダミー電極６３が電気的にフローティング状態である場合、ダミー電極６３はＸ検出電極線６１Ｘ及びＹ検出電極線６１Ｙに対して電気的には存在しないのと同等となるため、検出感度が低下するという問題点は生じない。
【００１３】
本発明は、上記の問題点に鑑みて完成されたものであり、その目的は、静電気の発生時に表示の乱れが生じるのを抑えることができるとともに、駆動期間において検出感度が低下することを防ぐことができるタッチパネルとすることである。
【課題を解決するための手段】
【００１４】
本発明のタッチパネルは、基板と、前記基板上の所定の方向に配置された駆動線と、前記駆動線と電気的に絶縁された状態で、前記基板上に前記所定の方向と交差する方向に配置された検出線と、前記駆動線及び前記検出線と電気的に絶縁された状態で、前記駆動線及び前記検出線を平面視したときのそれらの隙間に配置されているダミー電極と、前記駆動線を駆動する駆動期間において前記ダミー電極をフローティング状態とし、前記駆動線を駆動しない非駆動期間において前記ダミー電極を所定電位に保持する駆動制御部と、を有している構成である。
【００１５】
本発明のタッチパネルは、好ましくは、前記駆動線は、前記駆動期間において駆動パルスが入力され、前記所定電位は、前記駆動パルスの電位よりも低い。
【００１６】
本発明のタッチパネルは、好ましくは、前記所定電位は、接地電位である。
【発明の効果】
【００１７】
本発明のタッチパネルは、基板と、前記基板上の所定の方向に配置された駆動線と、前記駆動線と電気的に絶縁された状態で、前記基板上に前記所定の方向と交差する方向に配置された検出線と、前記駆動線及び前記検出線と電気的に絶縁された状態で、前記駆動線及び前記検出線を平面視したときのそれらの隙間に配置されているダミー電極と、前記駆動線を駆動する駆動期間において前記ダミー電極をフローティング状態とし、前記駆動線を駆動しない非駆動期間において前記ダミー電極を所定電位に保持する駆動制御部と、を有している構成であることから、以下の効果を奏する。ダミー電極は、駆動期間にはフローティング状態とされているので、ダミー電極は駆動線及び検出線に対して電気的には存在しないのと同等となるため、駆動線で生じた電気力線が空間的に存在する範囲が狭められることがなくなり、その結果、検出感度が低下することを防ぐことができる。またダミー電極は、非駆動期間には駆動信号の電位よりも低い接地電位等の所定電位に保持されているので、タッチパネルおよびタッチパネルが設置される表示装置等に静電気が発生した際に、表示装置に表示の乱れが生じることを抑えることができる。
【００１８】
本発明のタッチパネルは、前記駆動線は、前記駆動期間において駆動パルスが入力され、前記所定電位は、前記駆動パルスの電位よりも低い場合、タッチパネルおよびタッチパネルが設置される表示装置等に静電気が発生した際に、表示装置に表示の乱れが生じることをより抑えることができる。
【００１９】
本発明のタッチパネルは、前記所定電位は、接地電位である場合、タッチパネルおよびタッチパネルが設置される表示装置等に静電気が発生した際に、表示装置に表示の乱れが生じることをさらに抑えることができる。
【図面の簡単な説明】
【００２０】
【図１】図１は、本発明のタッチパネルについて実施の形態の１例を示す図であり、タッチパネルの検出電極等を示す平面図である。
【図２】図２は、図１のＡ１−Ａ２線における断面図である。
【図３】図３（ａ），（ｂ）は、それぞれ図１のタッチパネルの駆動タイミングを示すタイミングチャートである。
【図４】図４（ａ），（ｂ）は、それぞれ従来のタッチパネル付液晶表示装置の断面図である。
【図５】図５は、従来のタッチパネルの検出電極等を示す平面図である。
【図６】図６は、従来の液晶表示装置のブロック回路図である。
【発明を実施するための形態】
【００２１】
以下、本発明のタッチパネルの実施の形態について、図面を参照しながら説明する。但し、以下で参照する各図は、本発明のタッチパネルの実施の形態における構成部材のうち、本発明のタッチパネルを説明するための主要部を示している。従って、本発明に係るタッチパネルは、図に示されていない回路基板、配線導体、制御ＩＣ，ＬＳＩ等の周知の構成部材を備えていてもよい。
【００２２】
図１は、本発明のタッチパネルについて実施の形態の１例を示す図であり、タッチパネルの検出電極等を示す平面図である。図１に示すように、本実施の形態のタッチパネルは、ガラス基板等から成る基板１と、基板１上の所定の方向（例えば、行方向あるいはＸ方向）に配置された駆動線２Ｘと、駆動線２Ｘと電気的に絶縁された状態で、基板１上に所定の方向と交差する方向（例えば、列方向あるいはＹ方向）に配置されて、駆動線２Ｘとともにマトリックス状の検出電極２を構成する検出線２Ｙと、駆動線２Ｘ及び検出線２Ｙと電気的に絶縁された状態で、駆動線２Ｘ及び検出線２Ｙを平面視したときのそれらの隙間に配置されているダミー電極３と、駆動線２Ｘを駆動する駆動期間においてダミー電極３をフローティング状態とし、駆動線２Ｘを駆動しない非駆動期間においてダミー電極３を所定電位に保持するダミー電極３の駆動制御部１８ｃと、を有している構成である。この構成により、以下の効果を奏する。図３のタイミングチャートに示すように、ダミー電極３は、駆動期間Ｔａ（フローティング期間Ｔｆ）にはフローティング状態とされているので、ダミー電極３は駆動線２Ｘ及び検出線２Ｙに対して電気的には存在しないのと同等となるため、駆動線２Ｘで生じた電気力線が空間的に存在する範囲が狭められることがなくなり、その結果、検出感度が低下することを防ぐことができる。またダミー電極３は、非駆動期間Ｔｎａには駆動信号（駆動パルス）Ｓａの電位よりも低い接地電位（ＧＮＤ）等の所定電位に保持されているので、タッチパネルおよびタッチパネルが設置される表示装置等に静電気が発生した際に、表示装置に表示の乱れが生じることを抑えることができる。なお、図３において、Ｅｄはダミー電極３の電位を示し、Ｔｇはダミー電極３が接地電位に保持されている期間を示す。なお、図１において、２は駆動線２Ｘおよび検出線２Ｙから構成されるマトリックス状の検出電極を示す。
【００２３】
本実施の形態のタッチパネルにおいて、基板１は、図４（ａ）における下側基板５１に相当するものであってもよいが、図４（ｂ）におけるカラーフィルタ側基板３６に相当するものであってもよい。
【００２４】
本実施の形態のタッチパネルは、投影型静電容量方式のものであり、例えば以下のような構成である。図２に示すように、カラーフィルタ側基板である基板１の液晶側の面と反対側の面に形成された、検出線２Ｙの電極部間を接続するためのブリッジ電極（中継電極）２ｂと、その上の窒化珪素（ＳｉＮx），酸化珪素（ＳｉＯ2）等から成る第２の透明絶縁体層１２と、第２の透明絶縁体層１２上に形成された、所定の方向（例えば、行方向）に伸びるＩＴＯ等の透明電極から成る駆動線２ｘと、駆動線２ｘの電極部間を接続する接続部と、上記所定の方向と直交する方向（例えば、列方向）に伸びるＩＴＯ等の透明電極から成る検出線２Ｙと、を有する構成である。この構成により、検出線２Ｙのブリッジ電極２ｂと駆動線２Ｘの接続部とは、第２の透明絶縁体層１２を間に介して重なっているので、駆動線２Ｘと検出線２Ｙとは電気的に絶縁された状態となっている。なお、図１に示すように、駆動線２Ｘの矩形状の電極部と検出線２Ｙの矩形状の電極部とは接していないので、この点でも駆動線２Ｘの電極部と検出線２Ｙの電極部は電気的に絶縁されている。
【００２５】
そして、検出線２Ｙのブリッジ電極２ｂは、検出線２Ｙの電極部とコンタクトホール等によって接続される。これにより、人の指先等の静電的な導電体が静電容量検出領域に近づいたときの駆動線２Ｘの電極部と検出線２Ｙの電極部との静電結合による静電容量の変化を捉えることができる。そして、静電容量の変化が生じた、駆動線２Ｘの電極部と検出線２Ｙの電極部を、外部の制御ＩＣ（Integrated  Circuit）、制御ＬＳＩ（Large  Scale  Integrated  Circuit）等によって特定することにより、静電容量検出領域における静電容量が変化した位置を、２次元的に、即ち平面内において特定することができる。
【００２６】
図１の例では、ＬＣＤのカラーフィルタ側基板上に駆動線２Ｘと検出線２Ｙが直接的に配置されているが、図４（ａ）に示すように、カラーフィルタ側基板上に配置されたタッチパネル専用の下側基板上に駆動線２Ｘと検出線２Ｙが配置されていてもよい。また、駆動線２Ｘと検出線２Ｙの配置が逆であってもよい。すなわち、駆動線が符号２Ｙで表される列方向に形成された導体線であり、検出線が符号２Ｘで表される行方向に形成された導体線であってもよい。
【００２７】
本実施の形態のタッチパネルにおいて、ダミー電極３は、図１、図２に示すように、駆動線２Ｘ及び検出線２Ｙに電気的に絶縁された状態で、駆動線２Ｘ及び検出線２Ｙを平面視したときのそれらの隙間に配置されている。この隙間は１０μｍ〜１００μｍ程度の大きさである。例えば図２に示すように、基板１側から、ＩＴＯ等の透明電極から成るダミー電極３、ダミー電極３を覆う窒化珪素（ＳｉＮx），酸化珪素（ＳｉＯ2）等から成る第１の透明絶縁体層１１、その上に配置された検出線２Ｙのブリッジ電極２ｂ、ブリッジ電極２ｂを覆う第２の透明絶縁体層１２、その上に配置された駆動線２Ｘとその電極部間の接続部と検出線２Ｙ、が配置されている構成とすることによって、ダミー電極３は駆動線２Ｘ及び検出線２Ｙに電気的に絶縁された状態となる。なお、駆動線２Ｘとその電極部間の接続部と検出線２Ｙの上に、それらを覆う窒化珪素（ＳｉＮx），酸化珪素（ＳｉＯ2）等から成る第３の透明絶縁体層１３が配置されており、第３の透明絶縁体層１３上にはガラス基板等から成る保護基板１５が配置されている。
【００２８】
本実施の形態のタッチパネルにおいて、ダミー電極３は、第３の透明絶縁体層１３上に配置されていてもよく、その場合第１の透明絶縁体層１１は省くことができる。また、駆動線２Ｘ、検出線２Ｙ、ダミー電極３の全てを同一平面上に配置してもよい。この場合、全ての透明絶縁体層を省くこともできる。またこの場合、ブリッジ電極２ｂを省くこともできる。
【００２９】
本実施の形態のタッチパネルにおいて、ＩＣ，ＬＳＩ等から成る駆動制御部１８は、駆動期間Ｔａに駆動線２Ｘに駆動信号Ｓａを出力し、非駆動期間Ｔｎａに駆動線２Ｘに駆動信号Ｓａを出力しないものである。駆動制御部１８は、ダミー電極３の電位を制御するダミー電極３の駆動制御部１８ｃを有しており、駆動制御部１８ｃは、駆動期間Ｔａにダミー電極３をフローティング状態とし、非駆動期間Ｔｎａにダミー電極３を所定電位に保持する。ダミー電極３をフローティング状態とするためには、例えば駆動制御部１８ｃにおいてダミー電極３に繋がる配線をハイインピーダンス状態とすることによって実現できる。
【００３０】
タッチパネルの駆動を制御する駆動制御部１８は、複数本の駆動線２Ｘを駆動信号（駆動パスル）Ｓａによって順次走査する走査制御部１８ａと、検出線２Ｙから出力された検出信号（検出パルス）を受信し指等の被検出体を検出する検出部８８ｂと、ダミー電極３の電位を制御する駆動制御部１８ｃと、を有している。走査制御部１８ａ、検出部８８ｂ、駆動制御部１８ｃは、駆動制御部１８内にあるＲＡＭ，ＲＯＭ等のプログラミング領域であってもよく、あるいはそれぞれＩＣ，ＬＳＩ等の駆動素子であってもよい。
【００３１】
なお、図１に示すように、検出電極２と駆動制御部１８等との間で駆動信号、検出信号等の入出力を行うためのＦＰＣ６が、基板１上の端部に設置されている。また、基板１上には、検出電極２と端子電極５を接続するための引き回し配線４が配置されており、駆動制御部１８は回路基板１７上に配置されている。回路基板１７の端子電極１６は、ＦＰＣ６の回路配線を介して基板１上の端子電極５に接続されている。
【００３２】
図３（ａ），（ｂ）は、それぞれ図１のタッチパネルの駆動タイミングを示すタイミングチャートであり、（ａ）は駆動期間Ｔａとフローティング期間Ｔｆとが一致している場合を示し、（ｂ）は駆動期間Ｔａの開始時点よりも前にフローティング期間Ｔｆの開始時点があり、駆動期間Ｔａの終了時点よりも後にフローティング期間Ｔｆの終了時点がある場合を示す。図３（ｂ）の構成の場合、ダミー電極３の電位の変化に波形の鈍り等の遅延がある場合に有効であり、駆動期間Ｔａにおいて確実にダミー電極３をフローティング状態とすることができる。
【００３３】
本実施の形態のタッチパネルは、駆動線２Ｘは、駆動期間Ｔａにおいて駆動パルスＳａが入力され、所定電位は、駆動パルスＳａの電位よりも低いことが好ましい。駆動パルスＳａの電位よりも低い電位の例として、液晶表示装置における共通電圧（Ｖｃｏｍ）、接地電位がある。従って、静電気が発生した際に表示装置に表示の乱れが生じることを抑えることができる。
【００３４】
本実施の形態のタッチパネルは、非フローティング状態におけるダミー電極３の所定電位は、接地電位であることが好ましい。この場合、タッチパネルおよびタッチパネルが設置される表示装置等に静電気が発生した際に、表示装置に表示の乱れが生じることをより抑えることができる。非フローティング状態におけるダミー電極３の所定電位は、接地電位に限らず、表示装置に表示の乱れが生じることを抑えることができる範囲内で選択できる。
【００３５】
なお、本発明のタッチパネルは、上記実施の形態に限定されるものではなく、適宜の変更、改良が施されていてもよい。
【産業上の利用可能性】
【００３６】
本発明のタッチパネルは各種の表示装置に付属させることができる。その表示装置としては、ＬＣＤ、有機ＥＬ（Electro  Luminescence）表示装置、無機ＥＬ表示装置、ＰＤＰ（Plasma  Display）などがある。また、本発明のタッチパネルが付属する表示装置がＬＣＤである場合、そのＬＣＤとしては、ＴＮ（Twisted  Nematic）方式、インプレーンスイッチング（In-plane  Switching  :ＩＰＳ）方式、フリンジフィールドスイッチング（Fringe  Field  Switching  ：ＦＦＳ）方式のものなどを採用できる。
【符号の説明】
【００３７】
１  基板
２  検出電極
２ｂ  ブリッジ電極
２Ｘ  駆動線
２Ｙ  検出線
３  ダミー電極
１８ｃ  ダミー電極の駆動制御部
【図１】
2018185625.tif 000003
【図２】
2018185625.tif 000004
【図３】
2018185625.tif 000005
【図４】
2018185625.tif 000006
【図５】
2018185625.tif 000007
【図６】
2018185625.tif 000008